(57)【要約】【課題】  特定された個人間の通信に限定して音声と映像の送信を可能とするインターネットを使ったテレビ電話を提供する。【解決手段】  接続が開始された直後は音声メディアのみのリアルタイム伝送を行い、接続後に指定された経過時間を経過すると画像メディアのリアルタイム伝送を音声メディアに付加して送受信を行うことにより個人のプライバシーを確保したインターネットによるテレビ電話を提供するものである。【選択図】      図１
2006191189.tif 000002
【特許請求の範囲】
【請求項１】
音声ストリームを送信する音声ストリーミング送信部と、
音声ストリームを受信する音声ストリーミング受信部と、
画像ストリームを送信する画像ストリーミング送信部と、
画像ストリームを受信する画像ストリーミング受信部と、
前記音声ストリームおよび画像ストリームをインターネット回線に対して送受信するＩＰ送受信部と、
通信回線接続後の経過時間を計測するタイマーと、
前記通信回線の接続が開始された直後は音声ストリームのみのリアルタイム伝送を行い、前記タイマーが計測する経過時間が指定された経過時間を経過したときに、前記音声ストリームに付加して映像ストリームのリアルタイム伝送を開始するストリーミング送信制御部と、
前記ストリーミング送信制御部に対して画像ストリーム送信停止指令を与える映像停止操作スイッチとを備えたテレビ電話装置。
【請求項２】
音声ストリームを送信する音声ストリーミング送信部と、
音声ストリームを受信する音声ストリーミング受信部と、
画像ストリームを送信する画像ストリーミング送信部と、
画像ストリームを受信する画像ストリーミング受信部と、
前記音声ストリームおよび画像ストリームをインターネット回線に対して送受信するＩＰ送受信部と、
通信相手のパスワードを登録し、パスワード送信要求を出力し、受信したパスワードを認証するパスワード制御部と、
前記通信回線の接続が開始された直後にパスワード要求を送信し、前記パスワード制御部によるパスワード認証が成立した時には音声ストリームと画像ストリームとのリアルタイム伝送を開始するストリーミング送信制御部と、
前記パスワード制御部がパスワード認証の不成立を出力した時に前記ストリーミング送信制御部に対して画像ストリーム送信停止指令を与える映像停止指令部とを備えたテレビ電話装置。
【請求項３】
音声ストリームを送信する音声ストリーミング送信部と、
音声ストリームを受信する音声ストリーミング受信部と、
画像ストリームを送信する画像ストリーミング送信部と、
画像ストリームを受信する画像ストリーミング受信部と、
前記音声ストリームおよび画像ストリームをインターネット回線に対して送受信するＩＰ送受信部と、
前記画像ストリーミング送信部の送信する画像ストリームの明瞭度を低下させるフィルタ処理を行うフィルタ処理部と、
通信回線接続後の経過時間を計測するタイマーと、
前記通信回線の接続が開始と共に音声ストリームと画像ストリームとを共に送信開始し、かつ、通信回線の接続開始の直後は前記フィルタ処理部による前記画像ストリームの明瞭度を低下させるフィルタ処理を強く行い、前記タイマーが計測する前記接続経過時間の経過と共に前記フィルタ処理を弱める制御をするストリーミング送信制御部とを備えたテレビ電話装置。
【請求項４】
音声ストリームを送信する音声ストリーミング送信部と、
音声ストリームを受信する音声ストリーミング受信部と、
画像ストリームを送信する画像ストリーミング送信部と、
画像ストリームを受信する画像ストリーミング受信部と、
前記音声ストリームおよび画像ストリームをインターネット回線に対して送受信するＩＰ送受信部と、
前記画像ストリーミング送信部の送信する画像ストリームの明瞭度を低下させるフィルタ処理を行うフィルタ処理部と、
通話履歴及び画像ストリームの通信履歴を保持し、当該通話履歴及び通信履歴に基づいて前記フィルタ処理部に対して前記画像ストリームの明瞭度を低下させるフィルタ処理の度合いを決定する通信履歴記憶及びフィルタ制御部を備えたことを特徴とするテレビ電話装置。
【発明の詳細な説明】
【技術分野】
【０００１】
本発明は、インターネットを用いて映像と音声の送受信を行うテレビ電話装置に関する。
【背景技術】
【０００２】
電話番号の非通知制御を使って映像の送信制御をする通信装置が特開２００１−１７７８１１号公報（特許文献１）で開示されている。
【０００３】
従来の通信装置は通信の制御を行うための情報として電話番号のみを用いていたので、複数の家族が利用する通信装置において個人の特定ができない。そのため通信許可された端末間においては画像を伴ったテレビ電話による通信が自動的に確立されてしまい、個人のプライバシーを確保することができない場合がある問題点があった。
【特許文献１】特開２００１−１７７８１１号公報
【発明の開示】
【発明が解決しようとする課題】
【０００４】
本発明は、上述のような従来技術の問題点に鑑みてなされたものであり、複数の家族が利用する家庭のテレビ電話装置や、不特定多数の人間が利用する公共や企業内の電話装置を使って特定された個人間の通信に限定して音声と映像の送信を可能とするインターネットを使ったテレビ電話装置を提供することを目的とする。
【課題を解決するための手段】
【０００５】
請求項１の発明のテレビ電話装置は、音声ストリームを送信する音声ストリーミング送信部と、音声ストリームを受信する音声ストリーミング受信部と、画像ストリームを送信する画像ストリーミング送信部と、画像ストリームを受信する画像ストリーミング受信部と、前記音声ストリームおよび画像ストリームをインターネット回線に対して送受信するＩＰ送受信部と、通信回線接続後の経過時間を計測するタイマーと、前記通信回線の接続が開始された直後は音声ストリームのみのリアルタイム伝送を行い、前記タイマーが計測する経過時間が指定された経過時間を経過したときに、前記音声ストリームに付加して映像ストリームのリアルタイム伝送を開始するストリーミング送信制御部と、前記ストリーミング送信制御部に対して画像ストリーム送信停止指令を与える映像停止操作スイッチとを備えたものである。
【０００６】
請求項１の発明のテレビ電話装置では、インターネット回線を利用したテレビ電話通信において、接続が開始された直後は音声ストリームのみのリアルタイム伝送を行い、接続後に指定された経過時間を経過すると画像ストリームのリアルタイム伝送を音声ストリームに付加して送受信する。
【０００７】
請求項２の発明のテレビ電話装置は、音声ストリームを送信する音声ストリーミング送信部と、音声ストリームを受信する音声ストリーミング受信部と、画像ストリームを送信する画像ストリーミング送信部と、画像ストリームを受信する画像ストリーミング受信部と、前記音声ストリームおよび画像ストリームをインターネット回線に対して送受信するＩＰ送受信部と、通信相手のパスワードを登録し、パスワード送信要求を出力し、受信したパスワードを認証するパスワード制御部と、前記通信回線の接続が開始された直後にパスワード要求を送信し、前記パスワード制御部によるパスワード認証が成立した時には音声ストリームと画像ストリームとのリアルタイム伝送を開始するストリーミング送信制御部と、前記パスワード制御部がパスワード認証の不成立を出力した時に前記ストリーミング送信制御部に対して画像ストリーム送信停止指令を与える映像停止指令部とを備えたものである。
【０００８】
請求項２の発明のテレビ電話装置では、インターネット回線を利用したテレビ電話通信において、画像ストリームの送信を要求する際に当該要求元から送信された認証パスワードの正誤を判断し、認証が成功した場合にのみ画像ストリームのリアルタイム伝送を開始する。
【０００９】
請求項３の発明のテレビ電話装置は、音声ストリームを送信する音声ストリーミング送信部と、音声ストリームを受信する音声ストリーミング受信部と、画像ストリームを送信する画像ストリーミング送信部と、画像ストリームを受信する画像ストリーミング受信部と、前記音声ストリームおよび画像ストリームをインターネット回線に対して送受信するＩＰ送受信部と、前記画像ストリーミング送信部の送信する画像ストリームの明瞭度を低下させるフィルタ処理を行うフィルタ処理部と、通信回線接続後の経過時間を計測するタイマーと、前記通信回線の接続が開始と共に音声ストリームと画像ストリームとを共に送信開始し、かつ、通信回線の接続開始の直後は前記フィルタ処理部による前記画像ストリームの明瞭度を低下させるフィルタ処理を強く行い、前記タイマーが計測する前記接続経過時間の経過と共に前記フィルタ処理を弱める制御をするストリーミング送信制御部とを備えたものである。
【００１０】
請求項３の発明のテレビ電話装置では、インターネット回線を利用したテレビ電話通信において、画像の明瞭度を低下させるための画像信号フィルタ処理部により、画像ストリームの伝送開始時にはフィルタ強度を強くして明瞭度を下げた状態で音声ストリームと共に画像ストリームを送信し、通信回線の接続時間の経過と共にフィルタ強度を段々に弱くすることで伝送される画像ストリームの明瞭度を上げるようにする。
【００１１】
請求項４の発明のテレビ電話装置は、音声ストリームを送信する音声ストリーミング送信部と、音声ストリームを受信する音声ストリーミング受信部と、画像ストリームを送信する画像ストリーミング送信部と、画像ストリームを受信する画像ストリーミング受信部と、前記音声ストリームおよび画像ストリームをインターネット回線に対して送受信するＩＰ送受信部と、前記画像ストリーミング送信部の送信する画像ストリームの明瞭度を低下させるフィルタ処理を行うフィルタ処理部と、通話履歴及び画像ストリームの通信履歴を保持し、当該通話履歴及び通信履歴に基づいて前記フィルタ処理部に対して前記画像ストリームの明瞭度を低下させるフィルタ処理の度合いを決定する通信履歴記憶及びフィルタ制御部を備えたものである。
【００１２】
請求項４の発明のテレビ電話装置では、インターネット回線を利用したテレビ電話通信において、通信履歴記憶及びフィルタ制御部により、通話履歴及び画像ストリームの通信履歴に基づいて決定した明瞭度で画像ストリームを送信する。
【発明の効果】
【００１３】
本発明のテレビ電話装置によれば、例えば複数の家族が利用する家庭のテレビ電話装置や、不特定多数のユーザが利用する公共や企業のテレビ電話装置を使って特定された個人間の通信に限定して音声と画像を送信することができるので、個人のプライバシーを確保したインターネットによるテレビ電話が可能となる。
【発明を実施するための最良の形態】
【００１４】
以下、本発明の実施の形態を図に基づいて詳説する。
【００１５】
（第１の実施の形態）図１は本発明の第１の実施の形態のテレビ電話端末のユーザーエージェント構成を示す図である。電話端末において通信の送受信処理を行う機能をユーザーエージェントと呼んでいるが、電話端末は相互に呼び出しと待ち受けを行うのでユーザーエージェントはクライアント１００とサーバ１０１の機能を合わせ持っている。
【００１６】
図２は本発明の第１の実施の形態のテレビ電話１の詳しい機能構成を示すブロック図であり、音声通話のためのマイク２、撮像のためのカメラ３、これらの信号を圧縮処理するための音声圧縮部４、画像圧縮部５、ストリームを送信処理するストリーミング送信部６、７、ストリーミングの切／入を行うスイッチ８、９、映像送信の停止指令を与える映像停止スイッチ１０、この映像停止スイッチ１０の入力を受けてスイッチ８、９を操作し、音声ストリーミングだけ、あるいは音声、画像両ストリーミングを送信する制御を行うストリーミング送信制御部１１、そしてタイマー１２を備えている。また、テレビ電話１は、ＩＰ送信のためＳＤＰ処理部１３、ＳＩＰ処理部１４、ＩＰ送信部１５を備えている。これらの要素２〜１５がＩＰ送信処理に使用される。テレビ電話１はさらに、ＩＰ受信処理のために、スピーカー１６、ビデオＯＵＴ１７、音声圧縮信号に対する音声解凍部１８、画像圧縮信号に対する画像解凍部１９、ストリーミング受信部２０、２１、そしてＩＰ信号を受信するＩＰ受信部２２を備えている。
【００１７】
ストリーミング送信制御部１１及びタイマー１２はクライアント１００から音声メディアと画像メディアの送信要求を受信した時、音声メディアの送信を開始してから何秒後に画像メディアの送信を開始するかを制御する。また映像停止スイッチ１０は、ユーザが寝起きであるなどの映像を送信したくない状況である場合に映像の送信を明示的に停止するためのものである。
【００１８】
ＩＰ送信部１５及びＩＰ受信部２２はインターネットプロトコル（Ｉｎｔｅｒｎｅｔ  Ｐｒｏｔｏｃｏｌ）を用いたデータ伝送の基礎となるプロトコルの送信及び受信を行う。
【００１９】
インターネットを用いた電話のセッションを開始するためのプロトコルはＳｅｓｓｉｏｎ  Ｉｎｉｔｉａｉｏｎ  Ｐｒｏｔｏｃｏｌ（ＳＩＰ）としてＩＥＴＦ（Ｉｎｔｅｒｎｅｔ  Ｅｎｇｉｎｅｅｒｉｎｇ  Ｔａｓｋ  Ｆｏｒｃｅ）で規定されている。本実施の形態でもこのプロトコルに従ってセッションの開始が行われる。またセッションが開始した後、音声メディアや画像メディアの種類や送信方法についてサーバ１０１とクライアント１００で取り交わす必要があり、これもＩＥＴＦで規定されているＳｅｓｓｉｏｎ  Ｄｅｓｃｒｉｐｔｉｏｎ  Ｐｒｏｔｏｃｏｌ（ＳＤＰ）を用いて送受信される。これらの処理を行うブロックがＳＩＰ処理部１４及びＳＤＰ処理部１３である。映像及び音声はＭＰＥＧ４（Ｍｏｖｉｎｇ  Ｐｉｃｔｕｒｅ  Ｅｘｐｅｒｔｓ  Ｇｒｏｕｐ）で圧縮され、さらにＲｅａｌ−Ｔｉｍｅ  Ｔｒａｎｓｐｏｒｔ  Ｐｒｏｔｏｃｏｌ（ＲＴＰ）パケットとして伝送される。
【００２０】
図３は本発明の第１の実施の形態のクライアント１００とサーバ１０１間の通信のシーケンス図である。通信を開始する発呼側をクライアント１００、着呼側をサーバ１０１として説明する。クライアント１００はサーバ１０１に対して接続要求を送る（ステップＳＱ１０１）。サーバ１０１側で呼び出し音を聞いて電話を取るとサーバ１０１から接続許可が送信される（ステップＳＱ１０２）。接続が完了するとクライアント１００は音声メディアと画像メディアの送信要求をサーバ１０１に送る（ステップＳＱ１０３）。サーバ１０１はまず最初に音声メディアの送信許可のみをクライアント１００に返す（ステップＳＱ１０４）。これによってサーバ１０１とクライアント１００間で音声のストリーム送信が相互に開始され、音声によるコミュニケーションが行われる（ステップＳＱ１０５）。音声による通信が開始すると端末で指定された時間経過後、例えば指定時間を３０秒に設定している場合、その間にサーバ１０１側で映像停止スイッチ１０が操作されないと、３０秒の間音声による通信が行われた後に自動的にサーバ１０１からクライアント１００に画像メディアの送信許可が発送される（ステップＳＱ１０６）。これを受けてサーバ１０１とクライアント１００の相互で画像メディアと音声メディアによる通信が開始される（ステップＳＱ１０７）。これ以降は画像メディアと音声メディアによるコミュニケーションが実施され切断要求が受理されるまで継続する（ステップＳＱ１０８、ＳＱ１０９）。
【００２１】
以上のように本実施の形態の着呼側のシーケンスによれば、着呼側のプライバシーを守るためにサーバ１０１側の画像メディアの送受信制御を行う方法を実現できる。
【００２２】
次に本実施の形態のテレビ電話１による発呼側のプライバシーを確実に守るための送信シーケンスについて図４を用いて説明する。クライアント１００はサーバ１０１に接続要求を送る（ステップＳＱ２０１）。サーバ１０１の呼び出し音を聞いて電話をとると接続許可が戻り接続が完了する（ステップＳＱ２０２）。クライアント１００は先ず最初に音声メディアの送信要求だけをサーバ１０１に送信する（ステップＳＱ２０３）。サーバ１０１はこれを許可すると（ステップＳＱ２０４）、音声のみによるコミュニケーションが開始される（ステップＳＱ２０５）。次にクライアント１００側で映像停止スイッチ４０が操作されずにタイマー１２の設定した経過時間が経過するとクライアント１００からサーバ１０１に対して映像の送信要求を送る（ステップＳＱ２０６）。サーバ１０１がこれを受理すると（ステップＳＱ２０７）、画像メディアと音声メディアによるコミュニケーションが確立する（ステップＳＱ２０８）。セッションは切断要求によって終了する（ステップＳＱ２０９、ＳＱ２１０）。
【００２３】
以上のように本実施の形態の発呼側のシーケンスによれば、発呼側のプライバシーを守るためにクライアント１００側の画像メディアの送受信制御を行う方法を実現できる。
【００２４】
（第２の実施の形態）図５は本発明の第２の実施の形態のテレビ電話１の機能構成を示すブロック図であり、音声通話のためのマイク３２、撮像のためのカメラ３３、これらの信号を圧縮処理するための音声圧縮部３４、画像圧縮部３５、ストリームを送信処理するストリーミング送信部３６、３７、ストリーミングの切／入を行うスイッチ３８、３９、映像送信の停止指令を与える映像停止スイッチ４０、この映像停止スイッチ４０の入力を受けてスイッチ３８、３９を操作し、音声ストリーミングだけ、あるいは音声、画像両ストリーミングを送信する制御を行うストリーミング送信制御部４１、ＩＰ送信のためのＳＤＰ処理部４３、ＳＩＰ処理部４４、そしてＩＰ送信部４５を備えている。これらの要素３２〜４５がＩＰ送信処理に使用される。また、テレビ電話１はＩＰ受信処理のために、スピーカー４６、ビデオＯＵＴ４７、音声圧縮信号に対する音声解凍部４８、画像圧縮信号に対する画像解凍部４９、ストリーミング受信部５０、５１、そしてＩＰ信号を受信するＩＰ受信部５２を備えている。さらに、パスワードを要求、受信、照合し、その結果に応じて映像スイッチ４０を制御するパスワード制御部５３を備えている。
【００２５】
図６、図７は本発明の第２の実施の形態の着呼側のプライバシーを確実に守るためのクライアント１００とサーバ１０１間の通信のシーケンス図である。尚、図７において、図６と同様の処理には同様の符号を用いている。クライアント１００からサーバ１０１に対して接続要求が送信され（ステップＳＱ３０１）接続が受理された（ステップＳＱ３０２）後、音声メディアと画像メディアの送信要求をサーバ１０１に送る（ステップＳＱ３０３）。サーバ１０１はメディア送信要求を受信した場合にクライアント１００に対してパスワードを要求する（ステップＳＱ３０４）。クライアント１００はパスワード要求に対して適切なパスワードを送信応答する（ステップＳＱ３０５）。サーバ１０１は受信したパスワードが正当であるかを判断し、これが正しい場合にはクライアント１００に対して画像メディアと音声メディアの送信許可を送る（ステップＳＱ３０６）。これによって映像と音声によるコミュニケーションが開始される（ステップＳＱ３０７）。
【００２６】
これに対してサーバ１０１が受信したパスワードが不正な場合は図７のようにクライアント１００に対して音声メディアの送信許可のみを送る（ステップＳＱ３１０）。この場合は音声のみよるコミュニケーションが開始される結果となる（ステップＳＱ３１１）。
【００２７】
パスワードはセッション記述プロトコル（ＳＤＰ）に暗号化された文字列として記載される。インターネットにおけるデータ通信の暗号方式として広く使われているＳＳＬ（Ｓｅｃｕｒｅ  Ｓｏｃｋｅｔ  Ｌａｙｅｒ）プロトコルを使ってセッション記述を暗号化することでより安全にデータ送信を行うことも可能である。
【００２８】
本実施の形態では、クライアント１００の端末内部にパスワードとサーバアドレスをペアで管理するパスワード制御部５３を備えており、登録されたサーバアドレスからパスワード要求があった場合には記憶されているパスワードを自動でサーバに送信することで画像メディアと音声メディアの通信が速やかに開始される。これに対してパスワードの要求毎にクライアント１００の端末やハンディフォン（受話器）のボタンを使ってパスワードを入力し、これをサーバ１０１に送信する方法もある。複数の家族が１つの端末を使う場合や、公共あるいは企業内にある不特定多数のユーザが端末を使う場合には、後者のように毎回パスワードを入力する端末が必要となる。
【００２９】
以上のように本実施の形態によれば、パスワードを要求して当該パスワードが正しいときのみ映像を許可することができるため、パスワードを知っているような特定された個人間の通信に限定して音声と映像の送受信が可能となる。
【００３０】
（第３の実施の形態）図８は本発明の第３の実施の形態のテレビ電話の機能構成を示すブロック図であり、音声通話のためのマイク６２、撮像のためのカメラ６３、これらの信号を圧縮処理するための音声圧縮部６４、明瞭度を制御するためのフィルタ処理部６５、画像圧縮部６６、ストリームを送信処理するストリーミング送信部６７、６８、ストリーミングの切／入を行うスイッチ６９、フィルタ強度の制御を行うフィルタ強度制御部７０、タイマー７１、映像送信の停止指令を与える映像停止スイッチ７２、ＩＰ送信のためのＳＤＰ処理部７３、ＳＩＰ処理部７４、そしてＩＰ送信部７５を備えている。これらの要素６２〜７５がＩＰ送信処理に使用される。また、テレビ電話１はＩＰ受信処理のために、スピーカー７６、ビデオＯＵＴ７７、音声圧縮信号に対する音声解凍部７８、画像圧縮信号に対する画像解凍部７９、ストリーミング受信部８０、８１、そしてＩＰ信号を受信するＩＰ受信部８２を備えている。
【００３１】
明瞭度を制御するためのフィルタ処理部６５（画像信号処理フィルタ）は画素数の削減、ブロック入れ替え、ノイズ付加、低域フィルタ、広域フィルタなどを組み合わせて構成される。フィルタ強度の制御部７０で、それぞれの画像処理の程度を制御できるように構成されており、タイマー７１によって設定された時間が経過するごとにフィルタの深さや変形度を段々と緩やかにして明瞭度が良くなるように制御可能な構成とする。
【００３２】
図９は本発明の第３の実施の形態のクライアント１００とサーバ１０１間の通信のシーケンス図である。サーバ１０１はクライアント１００からの接続を受理した後（ステップＳＱ４０１、ＳＱ４０２）、画像メディアと音声メディアの送信要求を受理する（ステップＳＱ４０３、ＳＱ４０４）。サーバ１０１は音声と共に映像をクライアント１００に送信するが、最初は明瞭度の低い画像を生成してクライアント１００に送信する（ステップＳＱ４０５）。最初は明瞭度がとても低いのでカメラに写っている人物を特定することも背景も良くわからない画像が生成され送信される。その後、時間の経過と共に画像の明瞭度を段々と良くしていき、設定された時間を経過すると通常の明瞭度を持ったクリアな画像へ変化する（ステップＳＱ４０６）。
【００３３】
本実施の形態によれば、音声と映像の両方の通信が開始されても最初明瞭度の悪い映像が流れ、徐々にクリアな画像に変化させることが可能となる。
【００３４】
（第４の実施の形態）図１０は本発明の第４の実施の形態のテレビ電話の機能構成を示すブロック図であり、音声通話のためのマイク１０２、撮像のためのカメラ１０３、これらの信号を圧縮処理するための音声圧縮部１０４、明瞭度を制御するためのフィルタ処理部１０５、画像圧縮部１０６、ストリームを送信処理するストリーミング送信部１０７、１０８、ストリーミングの切／入を行うスイッチ１０９、通信履歴の記憶及びフィルタ強度の制御を行う通信履歴記憶及びフィルタ制御部１１０、映像送信の停止指令を与える映像停止スイッチ１１１、ＩＰ送信のためのＳＤＰ処理部１１２、ＳＩＰ処理部１１３、そしてＩＰ送信部１１４を備えている。これらの要素１０２〜１１４がＩＰ送信処理に使用される。また、テレビ電話１はＩＰ受信処理のために、スピーカー１１５、ビデオＯＵＴ１１６、音声圧縮信号に対する音声解凍部１１７、画像圧縮信号に対する画像解凍部１１８、ストリーミング受信部１１９、１２０、そしてＩＰ信号を受信するＩＰ受信部１２１を備えている。
【００３５】
通信履歴記憶及びフィルタ制御部１１０は過去に通信した端末のアドレスと接続回数を記憶している。以下に映像の送信を自動判別するしきい値を２０回に設定している場合の例を説明する。しきい値は端末を使うユーザが任意に設定可能であり、サーバ１０１はクライアント１００と接続した後に画像メディアと音声メディアの要求を受信した場合、接続されたクライアント１００のアドレスが通信履歴記憶及びフィルタ制御部１１０に２０回以上の接続実績があるかを判断する。もし２０回以上の接続実績があればサーバ１０１は自動的に明瞭度の低下を低くした画像から短い時間、例えば５秒の期間で明瞭度の高い通常の画像へ遷移することで速やかにクライアント１００の前にいるユーザと画像と音声によるコミュニケーションを図ることができる。さらに１００回以上の接続実績があるクライアント１００からの接続の場合は、明瞭度を制御することなく直ちに正常な画像をクライアント１００に送る。
【００３６】
また通信した端末のアドレスと接続時間の累計時間を記憶する通信履歴記憶及びフィルタ制御部１１０による方法も可能である。この場合は例えば累計接続時間が１時間を越えている場合は画像の送信開始から明瞭度が正常になるまでの遷移時間を５秒に短く制御する。さらに累計接続時間が１０時間を越えている場合は直ちに明瞭度を下げることなく正常な画像をクライアントに送る。
【００３７】
以上のように本実施の形態によれば、通話頻度の高いクライアント、つまり信用度の高いユーザには最初から明瞭度の高い画像での通信を行い、通話頻度の低い又は始めてのクライアントには明瞭度の低い画像での通信を行う制御が可能となる。
【００３８】
尚、上述した第１の実施の形態から第４の実施の形態の機能は各々組み合わせ利用可能であることはいうまでもない。
【産業上の利用可能性】
【００３９】
本発明は、インターネットを用いたテレビ電話に利用できる。
【図面の簡単な説明】
【００４０】
【図１】本発明の第１の実施の形態の電話端末のユーザーエージェント構成を示す図。
【図２】本発明の第１の実施の形態のテレビ電話装置の機能構成を示すブロック図。
【図３】本発明の第１の実施の形態のクライアントとサーバ間の通信のシーケンス図（着呼側）。
【図４】本発明の第１の実施の形態のクライアントとサーバ間の通信のシーケンス図（発呼側）。
【図５】本発明の第２の実施の形態のテレビ電話装置の機能構成を示すブロック図。
【図６】本発明の第２の実施の形態のクライアントとサーバ間の通信のシーケンス図（その１）。
【図７】本発明の第２の実施の形態のクライアントとサーバ間の通信のシーケンス図（その２）。
【図８】本発明の第３の実施の形態のテレビ電話装置の機能構成を示すブロック図。
【図９】本発明の第３の実施の形態のクライアントとサーバ間の通信のシーケンス図。
【図１０】本発明の第４の実施の形態のテレビ電話装置の機能構成を示すブロック図。
【符号の説明】
【００４１】
１  サーバ
２、３２、６２、１０２  マイク
３、３３、６３、１０３  カメラ
４、３４、６４、１０４  音声圧縮部
５、３５、６６、１０６  画像圧縮部
６、７、３６、３７、６７、６８、１０７、１０８  ストリーミング送信部
８、９、３８、３９、６９、１０９  スイッチ
１０、４０、７２、１１１  映像停止スイッチ
１１、４１  ストリーミング送信制御部
１２、７１  タイマー
１３、４３、７３、１１２  ＳＤＰ処理部
１４、４４、７４、１１３  ＳＩＰ処理部
１５、４５、７５、１１４  ＩＰ送信部
１６、４６、７６、１１５  スピーカー
１７、４７、７７、１１６  ビデオＯＵＴ
１８、４８、７８、１１７  音声解凍部
１９、４９、７９、１１８  画像解凍部
２０、２１、５０、５１、８０、８１、１１９、１２０  ストリーミング受信部
２２、５２、８２、１２１  ＩＰ受信部
５３  パスワード制御部
６５、１０５  フィルタ処理部
７０  フィルタ強度の制御部
１１０  通信履歴記憶部及びフィルタ制御部
【図１】
2006191189.tif 000003
【図２】
2006191189.tif 000004
【図３】
2006191189.tif 000005
【図４】
2006191189.tif 000006
【図５】
2006191189.tif 000007
【図６】
2006191189.tif 000008
【図７】
2006191189.tif 000009
【図８】
2006191189.tif 000010
【図９】
2006191189.tif 000011
【図１０】
2006191189.tif 000012